(57)【要約】【課題】広範囲な臀筋群に運動効果を及ぼすことができ、使用時における床の占有面積が小さく、収納時にはコンパクトに折り畳めて床の占有面積を小さくできると共に収納空間を小さくでき、収納時の美観に優れた運動器具を提供する。【解決手段】運動器具１０はスライド式開脚運動を行うためのものであり、使用者の右足が載せられる右足用足置台１１と、使用者の左足が載せられる左足用足置台１２と、右足用足置台がスライド自在に取付け保持された右足用スライドレール部１３と、左足用足置台がスライド自在に取付け保持された左足用スライドレール部１４と、各スライドレール部１３，１４の基端部１３ａ，１４ａを接続する第１蝶番部２１とを備える。運動器具１０において、第１蝶番部２１を開いた状態では、各スライドレール部１３，１４が全体として略円弧状または略楕円弧状を成す。【選択図】  図１
2018011616.tif 000002
【特許請求の範囲】
【請求項１】
使用者の右足が載せられる右足用足置台と、
使用者の左足が載せられる左足用足置台と、
前記右足用足置台がスライド自在に取付け保持された右足用スライドレール部と、
前記左足用足置台がスライド自在に取付け保持された左足用スライドレール部と、
前記各スライドレール部の基端部を接続する第１蝶番部と
を備えたスライド式開脚運動を行うための運動器具であって、
前記第１蝶番部を開いた状態では、前記各スライドレール部が全体として略円弧状または略楕円弧状を成す運動器具。
【請求項２】
使用者が両手を添えるハンドル部と、
前記第１蝶番部と前記ハンドル部の下端部とを接続する第２蝶番部と、
前記右足用スライドレール部が収容された第１筺体部と、
前記左足用スライドレール部が収容された第２筺体部と
を更に備え、
前記各蝶番部の開閉方向は互いに直交し、
前記第１蝶番部および前記第２蝶番部を共に閉じた状態では、前記各筺体部と前記ハンドル部とが折り畳まれて一体化され、前記各筺体部および前記ハンドル部が全体として直立した略扇台形平板状を成す、
請求項１に記載の運動器具。
【請求項３】
前記ハンドル部は、前記各スライドレール部の形状に沿った形状であり、
前記各筺体部と前記ハンドル部とが一体化されると、前記各筺体部の外縁部と前記ハンドル部の外縁部とが面一になる、
請求項２に記載の運動器具。
【請求項４】
使用者が両手を添えるハンドル部と、
前記第１蝶番部と前記ハンドル部の下端部とを接続する第２蝶番部と
を更に備え、
前記第１蝶番部を閉じたとき、前記各スライドレール部の大径側縁部は重なり合い、
前記ハンドル部は、前記各スライドレール部の大径側縁部に沿うように湾曲され、
前記第１蝶番部および前記第２蝶番部を共に閉じた状態では、前記各スライドレール部の大径側縁部が前記ハンドル部と対向する、
請求項１に記載の運動器具。
【請求項５】
前記第２蝶番部が接続固定されたベース部を更に備えた、
請求項２〜４のいずれか一項に記載の運動器具。
【請求項６】
前記第１蝶番部が接続固定されたベース部を更に備えた、
請求項２〜４のいずれか一項に記載の運動器具。
【請求項７】
前記各スライドレール部は、平行に配置された２本のレールを備えた、
請求項１〜６のいずれか一項に記載の運動器具。
【発明の詳細な説明】
【技術分野】
【０００１】
本発明は運動器具に係り、詳しくは、開脚運動を行うための運動器具に関するものである。
【背景技術】
【０００２】
特許文献１には、中央台脚部の前後脚部間に張設した支持管に回動自在に軸支した左側レール用筒体部と右側レール用筒体部に夫々前後一対のレールの基端側を取付けると共に前後一対のレールの先端側を左右の脚台部に取付けて、左右の前後のレールに夫々足置台をスライド自在に載置し、左右の前後のレールを直線状にしたスライド式開脚運動具が開示されている。
【０００３】
特許文献２には、ハンドルが設けられたベースフレームと、中央にポストが二つ設けられたマスク状円盤と、マスク状円盤を取り囲んでベースフレームの上面に直接に固定される円弧状チューブと、一端が二つのポストにそれぞれ枢着されて他端に連接座が結合されたカンチレバーと、連接座の底面に設けられた長形ローラとを備え、長形ローラが円弧状チューブに当接して転がり可能である揺動式健康機が開示されている。
【先行技術文献】
【特許文献】
【０００４】
【特許文献１】特開２０１４−８２２９号公報
【特許文献２】実用新案登録第３１６４２２５号公報
【発明の概要】
【発明が解決しようとする課題】
【０００５】
特許文献１の技術では、左右レールが直線状であるため、開脚運動を行う際の両足の軌道も直線状になり、臀筋群のごく一部にしか運動効果を及ぼさないという問題がある。
それに対して、特許文献２の技術では、足置台である連接座が円弧状チューブ上をスライドするため、開脚運動を行う際の両足の軌道も円弧状になり、広範囲な臀筋群に運動効果を及ぼすことができるという利点がある。
【０００６】
また、特許文献１の技術では、左右レールの基端側が取付けられたレール用筒体部が支持管に軸支されており、レール用筒体部および支持管が蝶番として機能するため、その蝶番により左右レールを折り畳んで閉じることにより、スライド式開脚運動具の収納時における床の占有面積を小さくできるという利点がある。
それに対して、特許文献２の技術では、揺動式健康機の収納時に折り畳むことができないため、収納時における床の占有面積が使用時と変わらないという問題がある。
【０００７】
そして、特許文献２の技術では、マスク状円盤の中央にポストが設けられ、連接座が結合されたカンチレバーがポストに枢着されているため、カンチレバーの回転半径の分だけ、使用時における床の占有面積が大きいという問題がある。
また、特許文献１の技術では、収納時にスライド式開脚運動具を折り畳むことができるものの、折り畳んだ状態でも全体が嵩張って大きな収納空間が必要であり、折り畳んだ状態の見栄えが悪いという問題がある。
【０００８】
本発明は前記問題を解決するためになされたものであって、その目的は、広範囲な臀筋群に運動効果を及ぼすことができ、使用時における床の占有面積が小さく、収納時にはコンパクトに折り畳めて床の占有面積を小さくできると共に収納空間を小さくでき、収納時の美観に優れた運動器具を提供することにある。
【課題を解決するための手段】
【０００９】
本発明者らは前記課題を解決するために鋭意検討を重ねた結果、下記のように本発明の各局面に想到した。
【００１０】
＜第１の局面＞
第１の局面は、
使用者の右足が載せられる右足用足置台と、
使用者の左足が載せられる左足用足置台と、
右足用足置台がスライド自在に取付け保持された右足用スライドレール部と、
左足用足置台がスライド自在に取付け保持された左足用スライドレール部と、
各スライドレール部の基端部を接続する第１蝶番部と
を備えたスライド式開脚運動を行うための運動器具であって、
第１蝶番部を開いた状態では、各スライドレール部が全体として略円弧状または略楕円弧状を成す。
【００１１】
第１の局面では、各足置台が略円弧状の各スライドレール部をスライドするため、開脚運動を行う際の両足の軌道も円弧状になり、広範囲な臀筋群に運動効果を及ぼすことができる。
また、第１の局面では、特許文献２の「ポスト」「カンチレバー」に相当する部材を備えないため、特許文献２の技術の前記問題（カンチレバーの回転半径の分だけ使用時における床の占有面積が大きい）を回避することが可能であり、使用時における床の占有面積を小さくできる。
【００１２】
＜第２の局面＞
第２の局面は、第１の局面において、
使用者が両手を添えるハンドル部と、
第１蝶番部とハンドル部の下端部とを接続する第２蝶番部と、
右足用スライドレール部が収容された第１筺体部と、
左足用スライドレール部が収容された第２筺体部と
を更に備え、
各蝶番部の開閉方向は互いに直交し、
第１蝶番部および第２蝶番部を共に閉じた状態では、各筺体部とハンドル部とが折り畳まれて一体化され、各筺体部およびハンドル部が全体として直立した略扇台形平板状を成す。
【００１３】
第２の局面では、収納時にはコンパクトに折り畳めて床の占有面積を小さくできると共に収納空間を小さくでき、収納時の美観に優れた運動器具を提供できる。
また、運動器具をコンパクトに折り畳めば梱包サイズを小さくすることが可能になるため、梱包コストや運搬コストを低減することができる。
【００１４】
＜第３の局面＞
第３の局面は、第２の局面において、ハンドル部は、各スライドレール部の形状に沿った形状であり、各筺体部とハンドル部とが一体化されると、各筺体部の外縁部とハンドル部の外縁部とが面一になる。
第３の局面では、運動器具の収納時の美観を更に高めることができる。
【００１５】
＜第４の局面＞
第４の局面は、第１の局面において、
使用者が両手を添えるハンドル部と、
第１蝶番部とハンドル部の下端部とを接続する第２蝶番部と
を更に備え、
第１蝶番部を閉じたとき、各スライドレール部の大径側縁部は重なり合い、
ハンドル部は、各スライドレール部の大径側縁部に沿うように湾曲され、
第１蝶番部および第２蝶番部を共に閉じた状態では、各スライドレール部の大径側縁部がハンドル部と対向する。
【００１６】
第４の局面では、収納時にはコンパクトに折り畳めて床の占有面積を小さくできると共に収納空間を小さくできる。
【００１７】
＜第５の局面＞
第５の局面は、第２〜第４の局面において、第２蝶番部が接続固定されたベース部を更に備える。
第５の局面では、運動効果を最も高めることができるように、ハンドル部が僅かに前傾した状態で第２蝶番部を介してベース部に接続固定した場合でも、ハンドル部と各筺体部とを一体化させたとき、運動器具の前後方向の長さが小さくなるため、ハンドル部の形状を最適化することと収納時におけるコンパクト化とを両立できる。
【００１８】
＜第６の局面＞
第６の局面は、第２〜第４の局面において、第１蝶番部が接続固定されたベース部を更に備える。
第６の局面では、運動効果を最も高めることができるように、ハンドル部が僅かに前傾した状態で第２蝶番部を介してベース部に接続固定した場合、ハンドル部を各筺体部側に引き倒して折り畳むため、重量のある各筺体部をハンドル部側に引き倒して折り畳むのに比べて、折り畳み操作に要する力が小さくなることから、折り畳み操作が容易になる。
【００１９】
＜第７の局面＞
第７の局面は、第１〜第６の局面において、各スライドレール部は、平行に配置された２本のレールを備える。
第７の局面では、１本のレールだけで各スライドレール部を構成した場合に比べて、各足置台が安定した状態で各スライドレール部をスライドすることから、運動効果を高めることができる。
【図面の簡単な説明】
【００２０】
【図１】本発明を具体化した一実施形態の運動器具１０において、第１蝶番部２１を開くと共に、ハンドル部２２を伸張させた状態の斜視図。
【図２】運動器具１０において、第１蝶番部２１を開くと共に、ハンドル部２２を伸張させた状態の上面図。
【図３】運動器具１０において、第１蝶番部２１を開くと共に、ハンドル部２２を伸張させた状態の背面図。
【図４】運動器具１０において、第１蝶番部２１を開くと共に、ハンドル部２２を伸張させた状態の左側面図。
【図５】運動器具１０において、第１蝶番部２１を開くと共に、ハンドル部２２を退縮させた状態の斜視図。
【図６】運動器具１０において、第１蝶番部２１を開くと共に、ハンドル部２２を退縮させた状態の背面図。
【図７】運動器具１０において、第１蝶番部２１を開くと共に、ハンドル部２２を退縮させた状態の左側面図。
【図８】運動器具１０において、第１蝶番部２１を閉じると共に、ハンドル部２２を退縮させた状態の斜視図。
【図９】運動器具１０において、第１蝶番部２１を閉じると共に、ハンドル部２２を退縮させた状態の上面図。
【図１０】運動器具１０において、第１蝶番部２１を閉じると共に、ハンドル部２２を退縮させた状態の背面図。
【図１１】運動器具１０において、第１蝶番部２１を閉じると共に、ハンドル部２２を退縮させた状態の左側面図。
【図１２】運動器具１０において、第１蝶番部２１および第２蝶番部３１を共に閉じると共に、ハンドル部２２を退縮させた状態の斜視図。
【図１３】運動器具１０において、第１蝶番部２１および第２蝶番部３１を共に閉じると共に、ハンドル部２２を退縮させた状態の上面図。
【図１４】運動器具１０において、第１蝶番部２１および第２蝶番部３１を共に閉じると共に、ハンドル部２２を退縮させた状態の背面図。
【図１５】運動器具１０において、第１蝶番部２１および第２蝶番部３１を共に閉じると共に、ハンドル部２２を退縮させた状態の左側面図。
【発明を実施するための形態】
【００２１】
＜運動器具１０の構成＞
図１〜図１５に示すように、本実施形態の運動器具１０は、右足用足置台１１、左足用足置台１２、右足用スライドレール部１３（基端部１３ａ、大径側縁部１３ｂ）、左足用スライドレール部１４（基端部１４ａ、大径側縁部１４ｂ）、レール１５，１６、第１蝶番部２１（前端部２１ａ）、ハンドル部２２（ハンドル本体部２３、ハンドル延長部２４、手置き部２５、固定ネジ２６、固定用凸部２７）、第２蝶番部３１、第１筺体部３２、第２筺体部３３、切欠部３４，３５、係合凹部３６、係合凸部３７、取手部３８，３９、操作ボタン４０、ベース部５１、載置用凸部５２などを備える。
【００２２】
尚、以下の説明では、運動器具１０の使用時における使用者（運動者）の前方，後方，右，左にそれぞれ対応する方向を「前方」「後方」「右」「左」と記載し、使用者を正面から視た状態を「正面視」と記載する。
【００２３】
各足置台１１，１２は略矩形平板状を成しており、右足用足置台１１には運動器具１０の使用者の右足が載せられ、左足用足置台１２には使用者の左足が載せられる。
右足用スライドレール部１３には右足用足置台１１がスライド自在に取付け保持され、左足用スライドレール部１４には左足用足置台１２がスライド自在に取付け保持されている。
各スライドレール部１３，１４は略円弧状であり、各スライドレール部１３，１４の前方側縁部がそれぞれ大径側縁部１３ｂ，１４ｂとなる。
【００２４】
各スライドレール部１３，１４はそれぞれ、平行に配置された２本のレール１５，１６などを備える。
各レール１５，１６は、円筒状を成しており、運動器具１０の下方側に向けて突出するように僅かに湾曲している。
各足置台１１，１２の底面にはローラー（図示略）が回動自在に取付けられ、そのローラが各レール１５，１６に当接して転動することにより、各足置台１１，１２が各スライドレール部１３，１４に対してスライドする。
【００２５】
第１蝶番（ヒンジ）部２１は、各スライドレール部１３，１４の基端部１３ａ，１４ａを接続する。
ハンドル部２２は、ハンドル本体部２３、ハンドル延長部２４、手置き部２５、固定ネジ２６、固定用凸部２７などを備える。
ハンドル本体部２３は扁平で厚み方向に湾曲した略直方体状を成しており、ハンドル本体部２３の正面視左右方向は第１蝶番部２１の開閉方向に平行に配置されている。
ハンドル延長部２４は、ハンドル本体部２３の形状に沿った長尺物であり、ハンドル本体部２３内に摺動可能に収容されている。
手置き部２５は略円柱状を成しており、手置き部２５には使用者の両手が添えられる。
手置き部２５はハンドル延長部２４の上端部に取付け固定され、手置き部２５の中心軸は第１蝶番部２１の開閉方向に平行で且つ水平に配置されている。
固定ネジ２６は、ハンドル本体部２３の背面側に挿着されてハンドル本体部２３およびハンドル延長部２４に螺着され、ハンドル本体部２３に対してハンドル延長部２４を固定保持する。
固定用凸部２７は、ハンドル本体部２３の背面側上端部に突設されている。
【００２６】
第２蝶番部３１は、第１蝶番部２１の前端部２１ａと、ハンドル部２２のハンドル本体部２３の下端部とを接続し、第２蝶番部３１の開閉方向は第１蝶番部２１の開閉方向と直交する。
各筺体部３２，３３は扁平な略扇台形箱状を成しており、第１筺体部３２には右足用スライドレール部１３が収容され、第２筺体部３３には左足用スライドレール部１４が収容されている。
切欠部３４は、第１筺体部３２の前方角部が略円弧状に切り欠かれて形成されている。
切欠部３５は、第２筺体部３３の前方角部が略円弧状に切り欠かれて形成されている。
【００２７】
２個の係合凹部３６はそれぞれ、第１筺体部３２において右足用スライドレール部１３が収容されている面の先端部に突設されており、一方の係合凹部３６は第１筺体部３２の後方角部に配置され、他方の係合凹部３６は切欠部３４に隣接して配置されている。
２個の係合凸部３７はそれぞれ、第２筺体部３３において左足用スライドレール部１４が収容されている面の先端部に穿設されており、一方の係合凸部３７は第２筺体部３３の後方角部に配置され、他方の係合凸部３７は切欠部３５に隣接して配置されている。
取手部３８は、第１筺体部３２において右足用スライドレール部１３が収容されている面とは反対面の先端部に穿設された略直方体状の凹部である。
取手部３９は、第２筺体部３３において左足用スライドレール部１４が収容されている面とは反対面の先端部に穿設された略直方体状の凹部である。
操作ボタン４０は、第１筺体部３２の先端部端面に配置されている。
【００２８】
ベース部５１は略矩形平板状を成しており、ベース部５１の上面には第２蝶番部３１が接続固定されている。
ハンドル部２２のハンドル本体部２３の下端部は、ハンドル本体部２３が僅かに前傾した状態で、第２蝶番部３１を介してベース部５１に接続固定されている。
載置用凸部５２は、ベース部５１の上面後方部に突設されている。
【００２９】
＜運動器具１０の使用方法＞
運動器具１０の使用者は、図１〜図７に示すように、第１蝶番部２１を開いて各スライドレール部１３，１４を水平に展開した状態にする。
すると、第１蝶番部２１は載置用凸部５２上に載置された状態になる。
【００３０】
次に、使用者は、各足置台１１，１２に足を載せて直立した状態で、図４の矢印α，α’に示すように、ハンドル本体部２３に対してハンドル延長部２４を摺動させ、ハンドル部２２全体の長さを自身の身長に合わせて最適化し、その後に、固定ネジ２６を締結して各部２３，２４を固定保持する。
【００３１】
そして、使用者は、手置き部２５に両手を置いた状態で、各足置台１１，１２に載せた両足を開いたり閉じたりすると、各足置台１１，１２がそれぞれ各スライドレール部１３，１４をスライドするため、スライド式開脚運動を行うことができる。
このとき、使用者が手置き部２５を強く握ると、両手に力が掛かる分だけ臀筋群に力が掛かり難くなって運動効果が阻害されるため、手置き部２５には両手を軽く添える程度に置く必要がある。
【００３２】
＜運動器具１０の収納方法＞
使用者は、図５〜図７に示すように、固定ネジ２６を緩めて各部２３，２４の固定保持を解除し、ハンドル延長部２４全体をハンドル本体部２３内に収容させ、ハンドル本体部２３に手置き部２５を当接させる。
【００３３】
次に、使用者は、図６の矢印βに示すように、各筺体部３２，３３の先端部を上方に持ち上げることにより、図８〜図１１に示すように、第１蝶番部２１を閉じた状態にさせ、各筺体部３２，３３を閉じ合わせるように折り畳んで一体化させる。
【００３４】
このとき、第１蝶番部２１が載置用凸部５２上に載置されているため、各筺体部３２，３３が不要にガタ付かなく、各筺体部３２，３３を安定して折り畳むことができる。
また、第１筺体部３２の各係合凹部３６と、第２筺体部３３の各係合凸部３７とがそれぞれ係合するため、各筺体部３２，３３が位置ズレを起こすことなく折り畳むことができる。
【００３５】
続いて、使用者は、一体化された各筺体部３２，３３の後方側を上方に持ち上げ、図１１の矢印γに示すように、各筺体部３２，３３をハンドル部２２側に引き倒すことにより、図１２〜図１５に示すように、第２蝶番部３１を閉じた状態にさせ、各筺体部３２，３３をハンドル部２２側に合体させるように折り畳んで一体化させる。
【００３６】
このとき、各筺体部３２，３３の各切欠部３４，３５に、ハンドル部２２の手置き部２５が嵌合一体化される。
また、ハンドル部２２の固定用凸部２７が、各筺体部３２，３３内にそれぞれ設けられた固定用凹部（図示略）に係合固定され、それらの係合固定により、各筺体部３２，３３とハンドル部２２とが分離不能に固定保持される。
尚、各筺体部３２，３３とハンドル部２２との固定保持を解除するには、操作ボタン４０を押すことにより、ハンドル部２２の固定用凸部２７と各筺体部３２，３３の固定用凹部との係合固定を解除させればよい。
【００３７】
図１２〜図１５に示すように、各筺体部３２，３３とハンドル部２２とが折り畳まれて一体化された状態では、各取手部３８，３９が各筺体部３２，３３の側面上部に位置する。
そのため、使用者は、各取手部３８，３９に手を掛けて持ち上げることで、運動器具１０を容易に持ち運ぶことができる。
【００３８】
＜運動器具１０の作用・効果＞
本実施形態の運動器具１０によれば、以下の作用・効果を得ることができる。
【００３９】
［１］図１，図２，図５に示すように、第１蝶番部２１を開いた状態において、各スライドレール部１３，１４は、第１蝶番部２１に対して線対称に展開され、運動器具１０の後方側（使用者の背面側）に向けて湾曲し、全体として略円弧状を成している。
そのため、運動器具１０では、各足置台１１，１２が略円弧状の各スライドレール部１３，１４をスライドするため、開脚運動を行う際の両足の軌道も円弧状になり、広範囲な臀筋群に運動効果を及ぼすことができる。
【００４０】
また、運動器具１０では、特許文献２の「ポスト」「カンチレバー」に相当する部材を備えないため、特許文献２の技術の前記問題（カンチレバーの回転半径の分だけ使用時における床の占有面積が大きい）を回避することが可能であり、使用時における床の占有面積を小さくできる。
【００４１】
［２］図１２〜図１５に示すように、各蝶番部２１，３１を共に閉じた状態において、各筺体部３２，３３とハンドル部２２とは折り畳まれて一体化され、各筺体部３２，３３およびハンドル部２２が全体として直立した略扇台形平板状を成している。
【００４２】
図８〜図１１に示すように、第１蝶番部２１だけを閉じた状態では、運動器具１０の左右方向の幅は小さくなるものの、運動器具１０の前後方向の長さは使用時と同じであるため嵩張ることになる。
そこで、図１２〜図１５に示すように、第１蝶番部２１に加えて第２蝶番部３１を閉じた状態にすれば、運動器具１０の前後方向の長さも小さくなるため、運動器具１０は前後左右の全方向に嵩張らなくなる。
よって、運動器具１０では、運動効果を最も高めることができるように各スライドレール部１３，１４の形状を最適化することと、収納時におけるコンパクト化とを両立できる。
【００４３】
従って、本実施形態によれば、収納時にはコンパクトに折り畳めて床の占有面積を小さくできると共に収納空間を小さくでき、収納時の美観に優れた運動器具１０を提供できる。
また、運動器具１０をコンパクトに折り畳めば梱包サイズを小さくすることが可能になるため、梱包コストや運搬コストを低減することができる。
【００４４】
［３］ハンドル部２２は各スライドレール部１３，１４の形状に沿った形状であり、各筺体部３２，３３とハンドル部２２とが一体化されると、各筺体部３２，３３の外縁部とハンドル部２２の外縁部とが面一になる。
そのため、運動器具１０の収納時の美観を更に高めることができる。
【００４５】
［４］第１蝶番部２１を閉じたとき、各スライドレール部１３，１４の大径側縁部１３ｂ，１４ｂは重なり合い、ハンドル部２２は各大径側縁部１３ｂ，１４ｂに沿うように湾曲される。
そして、各蝶番部２１，３１を共に閉じた状態では、各大径側縁部１３ｂ，１４ｂがハンドル部２２と対向する。
そのため、運動器具１０では、収納時にはコンパクトに折り畳めて床の占有面積を小さくできると共に収納空間を小さくできる。
【００４６】
［５］運動器具１０では、運動効果を最も高めることができるようにハンドル部２２の形状を最適化するため、ハンドル部２２が僅かに前傾した状態で第２蝶番部３１を介してベース部５１に接続固定されている。
そして、第２蝶番部３１がベース部５１に接続固定されているため、ハンドル部２２と各筺体部３２，３３とを一体化させたとき、運動器具１０の前後方向の長さが小さくなる。
よって、運動器具１０では、ハンドル部２２の形状を最適化することと、収納時におけるコンパクト化とを両立できる。
【００４７】
［６］各スライドレール部１３，１４は平行に配置された２本のレール１５，１６を備える。
そのため、１本のレールだけで各スライドレール部１３，１４を構成した場合に比べて、運動器具１０では、各足置台１１，１２が安定した状態で各スライドレール部１３，１４をスライドすることから、運動効果を高めることができる。
【００４８】
＜別の実施形態＞
本発明は前記実施形態に限定されるものではなく、以下のように具体化してもよく、その場合でも、前記実施形態と同等もしくはそれ以上の作用・効果を得ることができる。
【００４９】
［Ａ］各スライドレール部１３，１４は、略円弧状ではなく、略楕円弧状にしてもよい。
【００５０】
［Ｂ］第２蝶番部３１をベース部５１に接続固定するのではなく、第１蝶番部２１をベース部５１に接続固定してもよい。
この場合には、前記［５］の作用・効果は得られなくなるものの、ハンドル部２２を各筺体部３２，３３側に引き倒して折り畳むため、重量のある各筺体部３２，３３をハンドル部２２側に引き倒して折り畳むのに比べて、折り畳み操作に要する力が小さくなることから、折り畳み操作が容易になる。
【００５１】
本発明は、前記各局面および前記実施形態の説明に何ら限定されるものではない。特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００５２】
１０…運動器具
１１…右足用足置台
１２…左足用足置台
１３…右足用スライドレール部
１３ａ…基端部
１３ｂ…大径側縁部
１４…左足用スライドレール部
１４ａ…基端部
１４ｂ…大径側縁部
１５，１６…レール
２１…第１蝶番部
２２…ハンドル部
３１…第２蝶番部
３２…第１筺体部
３３…第２筺体部
５１…ベース部
【図１】
2018011616.tif 000003
【図２】
2018011616.tif 000004
【図３】
2018011616.tif 000005
【図４】
2018011616.tif 000006
【図５】
2018011616.tif 000007
【図６】
2018011616.tif 000008
【図７】
2018011616.tif 000009
【図８】
2018011616.tif 000010
【図９】
2018011616.tif 000011
【図１０】
2018011616.tif 000012
【図１１】
2018011616.tif 000013
【図１２】
2018011616.tif 000014
【図１３】
2018011616.tif 000015
【図１４】
2018011616.tif 000016
【図１５】
2018011616.tif 000017